(57)【要約】【課題】  電力量測定器の交換やエネルギー診断の際も蓋を閉めて使用することができると共に脱落や短絡を防止するチェックターミナルと、これを用いた電力量測定方法を提供する。【解決手段】  チェックターミナルＣＴは、箱１に収納した試験用端子１０と第二の電力量測定器とを接続するリード線７ａ〜７ｃが通る切欠き４ａ，４ｂを設けた蓋２を有する。第二の電力量測定器と接続した測定用リード線の先端に設けた端子２４を試験用端子１０に接続した状態で固定し、リード線が通る切欠き４ａ，４ｂを設けた蓋体２を箱１の開口部に被せた状態で電力量を測定する。【選択図】  図１
2007132850.tif 000002
【特許請求の範囲】
【請求項１】
電力量測定器と給電側の変成器との間に接続される試験用端子を収納した箱体及びその開口部を覆う蓋体を備えたチェックターミナルであって、
前記蓋体は、前記試験用端子と第二の電力量測定器とを接続するリード線が通る切欠きを有することを特徴とするチェックターミナル。
【請求項２】
請求項１記載のチェックターミナルにおいて、
前記蓋体の切欠きを前記リード線が通る切込みを有する弾性板で塞いだことを特徴とするチェックターミナル。
【請求項３】
電力量測定器と給電側の変成器との間に接続される試験用端子を収納したチェックターミナルの箱体に着脱可能に取り付けられる蓋体であって、
前記試験用端子と第二の電力量測定器とを接続するリード線が通る切欠きを設けたことを特徴とするチェックターミナルの蓋体。
【請求項４】
請求項３記載のチェックターミナルの蓋体において、
前記切欠きを前記リード線が通る切込みを有する弾性板で塞いだことを特徴とするチェックターミナルの蓋体。
【請求項５】
電力量測定器と給電側の変成器との間に接続される試験用端子に第二の電力量測定器を接続して電力量を測定する方法であって、
前記第二の電力量測定器の測定用リード線の先端に設けられた端子を、前記試験用端子に接続した状態で固定し、
前記試験用端子を収納したチェックターミナルの箱の開口部に前記リード線が通る切欠きを有する蓋体を被せた状態で電力量を測定することを特徴とする電力量測定方法。
【発明の詳細な説明】
【技術分野】
【０００１】
本発明は、電力会社などの電力供給者が電力需要者の使用電力量を測定する際に使用される試験用端子を備えたチェックターミナル、及びこれを用いて電力量を測定する方法に関する。
【背景技術】
【０００２】
チェックターミナルは、電力量測定のために電力需要者側に設置した取引用計器である電力量測定器から離間した位置に設置され、チェックターミナル内の試験用端子は、給電側の変成器の二次側端子と電力量測定器とに夫々ケーブルを介して接続される。通常、担当技術者以外の者が操作することによる感電等の事故を防ぐため、蓋を閉めた状態で封止される。
【０００３】
従来、電力量測定器の交換の際には、交換中の無計量状態を避けるため、チェックターミナルに第二の電力量測定器（以下「仮測定器」という）を接続して電力量を測定している。その際、試験用端子の試験用リード線取付け用穴に、仮測定器のリード線の先端の棒状端子を差し込み、締め付けることで接続している。また、電力会社のエネルギー診断において、電力需要者の、或る一定期間（２週間程度）の電気使用量を測定する際も同様に、仮測定器のワニ口クリップを試験用端子の試験用リード線取付ネジに接続することで行っている。
【０００４】
その場合、測定にあたりチェックターミナルの蓋を外してワニ口クリップを接続するが、測定中はリード線やワニ口クリップ等が邪魔になり蓋をすることができないため、試験用端子が露出する。そこで、蓋を外したチェックターミナルに絶縁シート等を被せて防護していた。
【発明の開示】
【発明が解決しようとする課題】
【０００５】
しかしながら、上記電力量測定器の交換は数時間で行えるのに対し、エネルギー診断における電力需要者の電気使用量の測定には二週間ほどの期間を要する場合があり、その間はチェックターミナルに蓋をかぶせることができず、封止もできないため、誤って絶縁シートを外してしまうことによる感電等の事故の危険があった。
【０００６】
また、チェックターミナルのリード線取付け用ネジは、本来ワニ口クリップを取り付ける設計がなされていないため、外部からの振動などの影響でワニ口クリップが脱落したり、接続時や取り外し時にワニ口クリップが隣接する端子に触れて短絡が発生する等の事故の可能性があった。
【０００７】
一方、エネルギー診断において電力需要者の電気使用量を測定するには、電力量測定計器がパルス発信型のものであれば、そのパルスを測定することにより、チェックターミナルを使用する必要はないが、全ての電力量測定計器をパルス発信型に交換するのは費用の関係からも困難であった。
【０００８】
本発明は、以上の状況に鑑みてなされたものであり、電力量測定器の交換やエネルギー診断の際も蓋を閉めて使用することができると共に脱落や短絡を防止するチェックターミナルと、これを用いた電力量測定方法を提供することを目的とする。
【課題を解決するための手段】
【０００９】
本発明は、電力量測定器と給電側の変成器との間に接続される試験用端子を収納した箱体及びその開口部を覆う蓋体を備えたチェックターミナルであって、前記蓋体は、前記試験用端子と第二の電力量測定器とを接続するリード線が通る切欠きを有することを特徴とする。
【００１０】
前記切欠きは、前記リード線が通る切込みを有する弾性板で塞ぐことが望ましい。
【００１１】
また、本発明は、電力量測定器と給電側の変成器との間に接続される試験用端子を収納したチェックターミナルの箱体に着脱可能に取り付けられる蓋体であって、前記試験用端子と第二の電力量測定器とを接続するリード線が通る切欠きを設けたことを特徴とする。
【００１２】
前記切欠きは、前記リード線が通る切込みを有する弾性板で塞ぐことが望ましい。
【００１３】
更に、本発明は、電力量測定器と給電側の変成器との間に接続される試験用端子に第二の電力量測定器を接続して電力量を測定する方法であって、前記第二の電力量測定器の測定用リード線の先端に設けられた端子を、前記試験用端子に接続した状態で固定し、前記試験用端子を収納したチェックターミナルの箱の開口部に前記リード線が通る切欠きを有する蓋体を被せた状態で、電力量を測定することを特徴とする。
【発明の効果】
【００１４】
本発明のチェックターミナルは、リード線を通す切欠きを設けた蓋を有するので、試験用端子と仮測定器をリード線で接続した後、そのリード線を切欠きに通すことにより、チェックターミナルに蓋をかぶせることができる。このため、交換または診断中も封止が可能となり、感電等の事故を防止することができる。
【００１５】
本発明の実施態様では、弾性板の持つ摩擦と弾力によりリード線が保持されるので、脱落や短絡を防止することができる。
【００１６】
本発明の蓋体は、リード線を通す切欠きを有するので、試験用端子と仮測定器をリード線で接続した後、そのリード線を切欠きに通すことにより、チェックターミナルに蓋をかぶせることができる。このため、交換または診断中も封止が可能となり、感電等の事故を防止することができる。
【００１７】
この実施態様では、弾性体の持つ摩擦と弾力によりリード線が保持されるので、脱落や短絡を防止することができる。
【００１８】
本発明の電力量測定方法によれば、端子付きリード線を有する第二の電力量測定器を使用し、該端子をチェックターミナルの試験用端子に接続、固定することで、脱落や短絡を防止することができる。
【発明を実施するための最良の形態】
【００１９】
図１に示すチェックターミナルＣＴは、箱１と、その蓋２と、試験用端子１０とからなる。図１では、箱１から蓋２を外した状態を示す。使用時には、図１において右側の端部を上方に向けて、図３に示すように直立した状態で用いる。
【００２０】
箱１は、下端部が立ち上がり部１ａを形成し、この部分に、試験用端子１０と各機器とを接続するリード線を通すためのブッシング３ａ及び３ｂが設けられている。図１において左側のブッシング３ａは、試験用端子１０と変成器とを接続する変成器リード線１３を通し、右側のブッシング３ｂは試験用端子１０と電力量測定器とを接続する電力量測定器リード線１４を通す。蓋２の両側面には、切欠き４ａ及び４ｂが設けられる。
【００２１】
図２は、左側の切欠き４ａを蓋２の外側から見た状態を示す。なお、右側の切欠き４ｂは、左側の切欠き４ａと同様に形成されている。
【００２２】
図示の切欠き４ａには、弾性板としてのゴムシート５ａが蓋２の内側から貼り付けられ、ゴムシート５ａには、切込み６ａ〜６ｃを設ける。試験用端子１０に仮測定器を接続した後、蓋２を閉める際は、周囲の障害物等の状況に応じて左側の切欠き４ａの切込み６ａ〜６ｃ又は右側の切欠き４ｂの切込み６ｄ〜６ｆに、仮測定器へ通じる試験用リード線７ａ〜７ｃを通す。
【００２３】
これにより、試験用リード線７ａ〜７ｃを試験用端子に取り付けた状態で蓋２を閉めることができ、封止も可能となる。また、ゴムシート５ａ，５ｂは、切欠き４ａ，４ｂから指を入れてしまうことによる感電等の事故を防止すると共に、ゴムの持つ弾力と摩擦により切込み６ａ〜６ｃ又は６ｄ〜６ｆがある程度の力で試験用リード線７ａ〜７ｃを保持するため、試験用リード線７ａ〜７ｃが外から引っ張られた場合にも、直接、接続部分に力がかかることを防ぐことができ、試験用リード線７ａ〜７ｃの脱落や、試験用リード線が他の端子に触れてしまうことによる短絡などの事故を防ぐことができる。更に、切欠き４ａ及び４ｂが蓋２の両側にあり、どちらかを選択できるため、チェックターミナルＣＴの片側に障害物がある場合にも作業がし易い。
【００２４】
蓋２の上端には蓋上方の突起部８ａがあり、これには、蓋上方のネジ穴８ｂと封止穴８ｃが設けられている。また、蓋２の下端には蓋下方の突起部９ａがあり、これには、蓋下方のネジ穴９ｂと封止穴９ｃが設けられている。
【００２５】
これらに対応して、箱１の上端には箱上方の突起部８ｄがあり、これには、箱上方のネジ穴８ｅと封止穴８ｆが設けられている。また、箱１の下端の立ち上がり部１ａには箱下方の突起部９ｄがあり、これには、箱下方のネジ穴９ｅと封止穴９ｆが設けられている。
【００２６】
箱１に蓋２を被せて、対応する各ネジ穴をネジ止めすると、チェックターミナルＣＴが密閉される。その後、対応する各封止穴に封止ピン（図示省略）を入れて封止する。封止ピンは、例えば、鉛のような軟質金属で作られた頭付きピンであり、封止穴に差込後、抜けないように先端を変形させて止める。箱１から蓋２を外すと封止ピンが切断されるので、封止ピンは再利用できない。この封止により、担当技術者以外の者がチェックターミナルの蓋を外して操作することを防いでいる。
【００２７】
図３は、チェックターミナルＣＴの蓋２を外した状態を示す。
【００２８】
試験用端子１０は、基板１１と、基板１１上に平行に設置された複数の左右対称の端子板１２とからなる。各端子板１２の両端には、一端に変成器リード線１３、他端に電力量測定器リード線１４を接続し、リード線１３をネジ１５ａ及び１５ｂ、リード線１４をネジ１６ａ及び１６ｂで固定する。変成器リード線１３は左側のブッシング３ａを通って変成器に、電力量測定器リード線１４は右側のブッシング３ｂを通って電力量測定器に接続されている。
【００２９】
図４は、一の端子板１２とリード線との接続部を示す断面図である。各端子板１２にはそれぞれ左のリード線取付穴２１ａ、右のリード線取付穴２１ｂ、左の試験用リード線取付穴２２ａ、右の試験用リード線取付穴２２ｂがある。この図では、例として、左のリード線取付穴２１ａに変成器リード線１３が、右のリード線取付穴２１ｂに電力量測定器リード線１４が、左の試験用リード線取付穴２２ａに仮測定器へ通じる試験用リード線７ａが、それぞれ接続されている。
【００３０】
仮測定器の試験用リード線７ａの先は、絶縁体の持ち手２３を有する金属製の端子２４になっており、左の試験用リード線取付穴２２ａに接続して試験用リード線取付ネジ２５ａで締めることにより、脱落を防ぐ。試験用リード線取付ネジ２５ａ，２５ｂは、その用途が試験時などに限られるため、道具を使わず着脱できるように滑り止めのついたヘッド部２６を備える。
【００３１】
端子２４はワニ口クリップ等に比べて小さいため、取付け時に隣接する端子等に触れてしまうことで短絡が生ずる可能性が減少する。
【００３２】
変成器リード線１３及び電力量測定器リード線１４は、試験用リード線７ａ〜７ｃに比べて着脱の頻度が低いため、その先端部は被覆を剥いただけのものであり、変成器リード線１３をネジ１５ａ，１５ｂで、電力量測定器リード線１４をネジ１６ａ，１６ｂでそれぞれ固定する。
【００３３】
各端子板の中央にある栓２７は、持ち手部分２７ａが絶縁体で、本体部分２７ｂが導体で形成され、この栓２７を抜くと、端子板１２の右部分と左部分とが電気的に切断され、栓２７を刺し込むと右部分と左部分が電気的に接続される構成になっている。そこで通常、電力量測定計器の交換時には、栓２７が刺さった状態で第一試験用リード線取付ネジ２５ａに仮測定器の試験用リード線７ａを接続し、その後栓２７を抜いて回路を切断した状態で電力量測定計器を交換し、交換後は、栓２７を刺して回路を接続してから仮測定器の試験用リード線７ａを外すことで、停電することなく無計量期間をなくすようになっている。
【００３４】
なお、チェックターミナルＣＴの構造は左右対称であるから、各リード線の接続が左右逆であっても構わない。また、試験用リード線７ａ〜７ｃ及び切込み６ａ〜６ｃ，６ｄ〜６ｆは、３組でなくても構わない。
【図面の簡単な説明】
【００３５】
【図１】実施例のチェックターミナルを示す分解斜視図。
【図２】図１の蓋の切欠き部を拡大して示す図。
【図３】蓋を外した状態のチェックターミナルの内部を示す図。
【図４】一の端子板とリード線との接続部を示す断面図。
【符号の説明】
【００３６】
ＣＴ…チェックターミナル、１…箱、２…蓋、３ａ，３ｂ…ブッシング、４ａ，４ｂ…切欠き、５ａ，５ｂ…ゴムシート、６ａ〜６ｆ…切込み、７ａ〜７ｃ…試験用リード線、８ａ，９ａ…蓋の突起部、８ｂ，９ｂ…蓋のネジ穴、８ｃ，９ｃ…蓋の封止穴、８ｄ，９ｄ…箱の突起部、８ｅ，９ｅ…箱のネジ穴、８ｆ，９ｆ…箱の封止穴、１０…試験用端子、１１…基板、１２…端子板、１３…変成器リード線、１４…電力量測定器リード線、１５ａ，１５ｂ，１６ａ，１６ｂ…ネジ、２１ａ，２１ｂ…リード線取付穴、２２ａ，２２ｂ…試験用リード線取り付用穴、２３…持ち手、２４…端子、２５ａ，２５ｂ…試験用リード線取付ネジ、２６…ヘッド部、２７…栓、２７ａ…持ち手部分、２７ｂ…本体部分。
【図１】
2007132850.tif 000003
【図２】
2007132850.tif 000004
【図３】
2007132850.tif 000005
【図４】
2007132850.tif 000006